(57)【要約】【課題】  本発明によれば、通信機器や電子機器、家電製品などの監視対象機器に動作障害が発生した場合に、復旧作業に要する人件費等のコストを削減しつつ、監視対象機器に生じた動作障害を迅速に復旧する。【解決手段】  本発明は、対象機器３に供給される電源を制御する電源遠隔操作システムであって、対象機器３が正常に動作しているか否かを、通信ネットワークを通じて監視する監視装置４０２と、対象機器３の電源取得部に接続され、電源取得部に対する電源の供給を制御する電源制御部１２と、電話回線４等を通じて電源制御部１２に接続可能であるとともに、監視装置４０２による監視結果に基づいて、電源制御部１２による電源供給を制御する電源操作用信号を、電話回線４を通じて発信し、電源制御部１２の動作を制御するセンター用端末装置５とを備える。【選択図】  図１
2005204454.tif 000002
【特許請求の範囲】
【請求項１】
監視対象機器に供給される電源を制御する電源遠隔操作システムであって、
前記監視対象機器が正常に動作しているか否かを、通信ネットワークを通じて、監視する監視端末と、
前記監視対象機器の電源取得部に接続され、該電源取得部に対する電源の供給を制御する電源制御部と、
電話回線を通じて前記電源制御部に接続可能であるとともに、前記監視端末による監視結果に基づいて、前記電源制御部による電源供給を制御する電源操作用信号を、該電話回線を通じて発信し、前記電源制御部の動作を制御するセンター用端末装置と
を備えることを特徴とする電源遠隔操作システム。
【請求項２】
前記電源操作用信号は、前記監視対象機器に対する電源供給の入切、又は前記監視対象機器の再起動を指示するものであることを特徴とする請求項１に記載の電源遠隔操作システム。
【請求項３】
前記監視対象機器には、前記電話回線を通じて通話を行うための電話機が接続可能であるとともに、該電話機は、着呼時に所定の呼び出し処理を実行する機能を備え、
前記電源操作用信号は、前記呼び出し処理の機能を停止させる機能停止信号を含むことを特徴とする請求項１に記載の電源遠隔操作システム。
【請求項４】
前記機能停止信号は、前記電話回線の極性が反転されている間に受信された、前記電話機に対する着呼信号であることを特徴とする請求項３に記載の電源遠隔操作システム。
【請求項５】
監視対象機器に供給される電源を制御する電源制御装置であって、
前記監視対象機器の電源取得部に接続され、該電源取得部に対する電源の供給を制御する電源制御部と、
前記監視対象機器に対する電源供給を指示する電源操作用信号を、電話回線を通じて受信し、前記電源制御部の動作を制御する中央制御部と、
を備えることを特徴とする電源制御装置。
【請求項６】
前記電源操作用信号は、前記監視対象機器に対する電源供給の入切、又は前記監視対象機器の再起動を指示するものであることを特徴とする請求項５に記載の電源制御装置。
【請求項７】
前記監視対象機器には、前記電話回線を通じて通話を行うための電話機が接続可能であるとともに、該電話機は、着呼時に所定の呼び出し処理を実行する機能を備え、
前記電源操作用信号は、前記呼び出し処理の機能を停止させる機能停止信号を含むことを特徴とする請求項５に記載の電源制御装置。
【請求項８】
前記機能停止信号は、前記電話回線の極性が反転されている間に受信された、前記電話機に対する着呼信号であることを特徴とする請求項７に記載の電源制御装置。
【請求項９】
監視対象機器に供給される電源を制御する電源遠隔操作方法であって、
前記監視対象機器が正常に動作しているか否かを、通信ネットワークを通じて、監視するステップ(1)と、
前記ステップ(1)による監視結果に基づいて、前記監視対象機器に対する電源供給を制御する電源操作用信号を、電話回線を通じて発信するステップ(2)と、
前記監視対象機器に対する電源の供給を制御するステップ(3)と、
を備えることを特徴とする電源遠隔操作方法。
【請求項１０】
前記電源操作用信号は、前記監視対象機器に対する電源供給の入切、又は前記監視対象機器の再起動を指示するものであることを特徴とする請求項９に記載の電源遠隔操作方法。
【請求項１１】
前記監視対象機器には、前記電話回線を通じて通話を行うための電話機が接続可能であるとともに、該電話機は、着呼時に所定の呼び出し処理を実行する機能を備え、
前記電源操作用信号は、前記呼び出し処理の機能を停止させる機能停止信号を含むことを特徴とする請求項９に記載の電源遠隔操作方法。
【請求項１２】
前記機能停止信号は、前記電話回線の極性が反転されている間に受信された、前記電話機に対する着呼信号であることを特徴とする請求項１１に記載の電源遠隔操作方法。
【発明の詳細な説明】
【技術分野】
【０００１】
本発明は、通信ネットワークに接続可能な操作対象機器に供給される電源を制御する電源遠隔操作システム、電源制御装置及び電源遠隔操作方法に関する。
【背景技術】
【０００２】
従来、通信ネットワークに接続可能な通信機器、例えばｘＤＳＬ用モデムは、インターネット等の通信ネットワークに接続され、当該通信機器に接続されたパーソナルコンピュータやＩＰ電話機をインターネットに接続し、これらの機器によるＩＰパケットなどのデータ信号の送受信を可能とする。ところで、上記通信機器は、フリーズなどの動作障害が発生する場合があり、この場合には、通信ネットワークを介しての通信が不可能となる。
【０００３】
従来では、このような通信機器の動作障害を、監視センターにおいて監視し、動作障害が発生した際には、作業員を派遣し、通信機器の電源を再起動する等の復帰作業を行っている。このような、電源の入切を遠隔的に操作する技術としては、例えば、特許文献１に開示されたものがある。
【０００４】
図７は、従来の監視システムの説明図である。同図に示すように、従来の監視システムでは、センター側に監視装置４０２が配置され、加入者などの宅内には、監視の対象となる通信機器である対象機器３が配置されている。ここで、対象機器３の電源は、電源コンセント８から対象機器電源ライン６を介して供給される。
【０００５】
また、図８は、従来のｘＤＳＬ用回線を用いた監視システムの説明図である。同図に示すように、従来のｘＤＳＬ用回線を用いた監視システムでは、監視センター側に監視装置４０２が配置され、宅内には、監視の対象となるｘＤＳＬ機器３ａが配置され、電話局には、一般回線用の着信側交換機４０１とｘＤＳＬ上位機器４０３とがスプリッター９に接続されている。そして、電話局と宅内とは、加入者電話回線４３を介して、スプリッター９とｘＤＳＬ機器３ａとが接続されている。ここにおいても、ｘＤＳＬ機器３ａの電源は、電源コンセント８から対象機器電源ライン６を介して供給される。
【０００６】
このような従来の監視システムによれば、監視センターの監視装置４０２により、対象機器３等に障害が発生したのを検知することができる。
【特許文献１】特開２００１−２３６１４９号公報
【発明の開示】
【発明が解決しようとする課題】
【０００７】
しかしながら、上述したように、従来の監視システムでは、対象機器に動作障害が発生した場合、作業員を派遣し、作業員が現場において復旧作業を行うものであったため、作業員の人件費がかかるうえに、例えば、対象機器が屋根裏や床下に設置されているなど対象機器の設置環境によっては、迅速な復旧作業を行えない場合があり、機能回復までに時間がかかるという問題があった。
【０００８】
そこで、本発明は、上記問題を解決するためになされたものであり、人件費等のコストを削減しつつ、通信機器等の監視対象機器に生じた動作障害を迅速に復旧することのできる電源遠隔操作システム、電源制御装置及び電源遠隔操作方法を提供することを目的とする。
【課題を解決するための手段】
【０００９】
上記課題を解決するために、本発明は、監視対象機器に供給される電源を制御するに際し、監視対象機器が正常に動作しているか否かを、通信ネットワークを通じて監視し、この監視結果に基づいて、監視対象機器に対する電源供給を制御する電源操作用信号を、電話回線を通じて発信し、受信された電源操作用信号に基づいて監視対象機器に対する電源の供給を制御する。
【００１０】
このような本発明によれば、通信ネットワークを通じて監視対象機器を遠隔的に監視し、対象機器に動作障害が発生した場合には、電源操作用信号を送信することによって、対象機器の電源供給を制御することができる。この結果、遠隔操作により、監視対象機器の動作障害を復旧することができる。
【００１１】
上記発明において、電源操作用信号は、監視対象機器に対する電源供給の入切、又は監視対象機器の再起動を指示するものであることが好ましい。この場合には、電源のＯＮ又はＯＦＦ、或いは再起動等の操作を組み合わせることによって、種々の動作障害に対応することができる。
【００１２】
上記発明において、監視対象機器には、電話回線を通じて通話を行うための電話機が接続可能であるとともに、電話機は、着呼時に所定の呼び出し処理を実行する機能を備え、電源操作用信号は、呼び出し処理の機能を停止させる機能停止信号を含むことが好ましい。この場合には、対象機器の動作障害を復旧する際に、不要な呼び出し処理が実行されるのを防止することができる。
【００１３】
上記発明において、機能停止信号は、電話回線の極性が反転されている間に受信された、電話機に対する着呼信号であることが好ましい。この場合には、既存の電話回線に特別な改良を加えることなく、電源制御を行うことができる。
【発明の効果】
【００１４】
本発明によれば、通信機器や電子機器、家電製品などの監視対象機器に動作障害が発生した場合に、復旧作業に要する人件費等のコストを削減しつつ、監視対象機器に生じた動作障害を迅速に復旧することができる。
【発明を実施するための最良の形態】
【００１５】
本発明の実施形態に係る電源遠隔操作システムについて、以下に説明する。
［第１実施形態］
【００１６】
（電源遠隔操作システムの構成）
図１は、第１実施形態に係る電源遠隔操作システムの構成を示すブロック図である。同図に示すように、センター側には、監視装置４０２と、センター用端末装置５とが配置されており、一方、加入者の宅内には、監視の対象となる対象機器３と、ネットワークコントロールユニット１とが配置されている。
【００１７】
対象機器３は、電源が供給されて動作する電子機器や家電機器であり、例えば、無線通信や有線通信を介して、センター側の監視装置４０２に接続されている。また、対象機器３は、ネットワークコントロールユニット１の電源制御部１２から、対象機器電源ライン６を通じて電源の供給を受けている。
【００１８】
監視装置４０２は、対象機器３の動作状態を確認するための確認信号を周期的に、対象機器３に対して送出しており、対象機器３の確認信号に対する応答信号に基づいて、対象機器３の動作状態を確認するモジュールである。例えば、対象機器３から動作異常を通知する異常通知信号を受信するか、或いは確認信号に対する応答信号が受信されない場合に、対象機器３に動作障害が発生したと判断する。
【００１９】
また、監視装置４０２は、センター用端末装置５に接続されており、対象機器３に動作障害が発生したと判断した場合には、センター用端末装置５に対して、電源操作用信号をネットワークコントロールユニット１に送信するように指示する機能を有している。センター用端末装置５は、監視装置４０２からの指示に従って、ネットワークコントロールユニット１の中央制御部１１に対して、電源操作用信号を送信する。
【００２０】
また、センター側と宅内との間には、発信側交換機４００及び着信側交換機４０１とが配置されており、発信側交換機４００は、センター用端末装置５とセンター回線４２により接続されるとともに、電話回線４により着信側交換機４０１と接続されている。一方、着信側交換機４０１は、加入者電話回線４３により宅内のＮＣＵ１と接続されている。
【００２１】
ＮＣＵ１は、中央制御部１１と、電源制御部１２とを備えている。電源制御部１２はＮＣＵ電源ライン７を介して電源コンセント８から電源の供給を受けるとともに、この供給された電源の一部を、対象機器電源ライン６を介して対象機器３の電源取得部に供給している。また、中央制御部１１は、電源制御部１２に対して制御信号を出力するモジュールであり、センター側からの電源操作用信号に基づいて、電源制御部１２の動作を制御する。電源制御部１２は、中央制御部１１の制御に従って、対象機器３に対する電源供給の入切、又は前記操作対象機器の再起動を行う。
【００２２】
（電源遠隔操作システムの動作）
以上の構成を有する電源遠隔操作システムは、以下のように動作する。
【００２３】
先ず、監視装置４０２から、確認信号を周期的に、対象機器３に対して送出し、対象機器３から動作異常を通知する異常通知信号を受信するか、或いは確認信号に対する応答信号が受信されない場合に、対象機器３に動作障害が発生したと判断する。
【００２４】
そして、対象機器３に動作障害が発生したと判断したときには、センター用端末装置５に対して、電源操作用信号をネットワークコントロールユニット１に送信するように指示し、この指示に応じて、センター用端末装置５は、ネットワークコントロールユニット１の中央制御部１１に対して、電源操作用信号を送信する。
【００２５】
ＮＣＵ１では、中央制御部１１により電源操作用信号を受信し、これに基づいて、電源制御部１２に対して制御信号を出力し、電源制御部１２は、センター側からの電源操作用信号に基づいて、対象機器３に対する電源供給の入切、又は前記操作対象機器の再起動を行う。
【００２６】
具体的には、図２（ａ）に示すように、対象機器３に対する供給がＯＮの状態であったのを時刻Ｔ１においてＯＦＦとし、電源の供給を停止し、所定時間経過後の時刻Ｔ２において電源供給をＯＮとし、対象機器３の動作復旧を図る。また、他の制御としては、同図（ｂ）に示すように、対象機器３に対する供給がＯＮの状態であったのを時刻Ｔ１においてＯＦＦとし、対象機器３の動作を停止させるもの、或いは同図（ｃ）に示すように、対象機器３に対する供給がＯＦＦの状態であったのを時刻Ｔ１においてＯＮとし、対象機器３の動作を開始させるものがある。
【００２７】
（電源遠隔操作システムによる効果）
以上説明した本実施形態に係る電源遠隔操作システムによれば、監視装置４０２により対象機器３を遠隔的に監視し、対象機器３に動作障害が発生した場合には、センター用端末装置５から電源操作用信号を宅内のネットワークコントロールユニット１に対して送信することにより、対象機器３の電源供給を制御することができる。この結果、作業員を派遣して対象機器３の復旧作業等を行う必要がなくなり、人件費等のコストを削減しつつ、対象機器３に生じた動作障害を迅速に復旧することができる。
【００２８】
また、本実施形態では、電源操作用信号は、対象機器３に対する電源供給の入切、又は監視対象機器の再起動を指示するものであるため、電源のＯＮ又はＯＦＦ、或いは再起動等の操作を組み合わせることによって、種々の動作障害に対応することができる。
【００２９】
［第２実施形態］
次いで、本発明の第２実施形態について説明する。本実施形態では、上述した対象機器３が、ADSL等の通信を行うｘＤＳＬ機器である場合について説明する。
【００３０】
（電源遠隔操作システムの構成）
図３は、本実施形態に係る電源遠隔操作システムの構成を示すブロック図である。同図に示すように、センター側には、監視装置４０２と、センター用端末装置５とが配置されており、一方、加入者の宅内には、監視の対象となるｘＤＳＬ機器３ａと、ネットワークコントロールユニット１を備えたリブートアダプタ１０とが配置されている。
【００３１】
ｘＤＳＬ機器３ａは、ｘＤＳＬモデム等のインターネット２０に接続可能な通信機器であり、インターネット２０を通じて、センター側の監視装置４０２に接続されている。ネットワークコントロールユニット１の電源制御部１２から、対象機器電源ライン６を通じて電源の供給を受けている。なお、本実施形態に係るｘＤＳＬ機器３ａは、通話用の回線とデータ通信用の回線をフィルタリングするスプリッターを内蔵している。
【００３２】
監視装置４０２は、ｘＤＳＬ機器３ａの動作状態を確認するための確認信号を周期的に、ｘＤＳＬ機器３ａに対して送出しており、ｘＤＳＬ機器３ａの確認信号に対する応答信号に基づいて、ｘＤＳＬ機器３ａの動作状態を確認するモジュールである。例えば、ｘＤＳＬ機器３ａから動作異常を通知する異常通知信号を受信するか、或いは確認信号に対する応答信号が受信されない場合に、ｘＤＳＬ機器３ａに動作障害が発生したと判断する。
【００３３】
また、監視装置４０２は、センター用端末装置５に接続されており、ｘＤＳＬ機器３ａに動作障害が発生したと判断した場合には、センター用端末装置５に対して、電源操作用信号をネットワークコントロールユニット１に送信するように指示する機能を有している。センター用端末装置５は、監視装置４０２からの指示に従って、ネットワークコントロールユニット１の中央制御部１１に対して、電源操作用信号を送信する。
【００３４】
センター側と宅内との間には、電話局が配置されており、この電話局は、発信側交換機４００を介して、センター用端末装置５に接続されている。電話局では、着信側交換機４０１と、ｘＤＳＬ上位機器４０３とがスプリッター９に接続されている。そして、電話局と宅内とは、加入者電話回線４３を介して、スプリッター９とリブートアダプタ１０内のスプリッタフィルタ１３とが接続されている。また、このスプリッタフィルタ１３を介して、ネットワークコントロールユニット１とｘＤＳＬ機器３ａが、加入者電話回線４３に接続可能となっている。
【００３５】
なお、本実施形態に係る着信側交換機４０１は、既存の電話網を利用して、電話機の呼び出しベルを鳴動させることなく、リブートアダプタ１０を起動し、通信するいわゆるノーリンギング通信（無鳴動着信）機能を備えている。この無鳴動着信では、極性反転と同時に特定周波数の呼び出し音（ＮＲＳ）が、着信側交換機４０１から送出され、これをリブートアダプタ１０で検出する。この際の極性反転は、緩リバースと呼ばれる緩やかな反転であり、極性反転の際に電話機に瞬時鳴動が生じるのを防止する。また、この着信側交換機４０１は、通常の一般着信にあっては、極性反転と同時にリンガー信号を送出する。リブートアダプタ１０では、極性反転後にリンガーを検出した場合、一般着信と判断し、無鳴動着信機能を停止する。
【００３６】
ネットワークコントロールユニット１は、本実施形態においても、中央制御部１１と、電源制御部１２とを備えている。電源制御部１２はＮＣＵ電源ライン７を介して電源コンセント８から電源の供給を受けるとともに、この供給された電源の一部を、対象機器電源ライン６を介してｘＤＳＬ機器３ａの電源取得部に供給している。また、中央制御部１１は、電源制御部１２に対して制御信号を出力するモジュールであり、センター側からの電源操作用信号に基づいて、電源制御部１２の動作を制御する。電源制御部１２は、中央制御部１１の制御に従って、ｘＤＳＬ機器３ａに対する電源供給の入切、又は前記操作対象機器の再起動を行う。
【００３７】
次いで、宅内における各装置の配置及び接続について、具体例を説明する。図４（ａ）及び（ｂ）は、宅内における各装置の配置及び接続を示す説明図である。
【００３８】
図４（ａ）に示すように、宅内では、通信系の接続として、リブートアダプタ１０の加入者電話回線４３がモジュラージャック４３ｂに接続され、一方、ｘＤＳＬ機器３ａは、電話回線接続用の室内回線４３ａにより、リブートアダプタ１０に接続されているとともに、室内電話回線３２ａを介して電話機３２が接続され、ＬＡＮ３３ａを介してパーソナルコンピュータ３３が接続されている。
【００３９】
また、宅内における電源系の接続としては、リブートアダプタ１０のＮＣＵ電源ライン７が電源コンセント８に接続されている。また、リブートアダプタ１０にはＡＣアダプタ６ａを介して対象機器電源ライン６が接続され、この対象機器電源ライン６は、ｘＤＳＬ機器３ａの電源取得部ＰＷＲに接続されている。
【００４０】
なお、宅内における通信系の接続については、例えば、ＶＯＩＰ用のターミナルアダプタ３１を追加することができる。すなわち、同図（ｂ）に示すように、室内電話回線３１ａによりターミナルアダプタ３１に対する通話用の接続を行い、ＬＡＮ回線３１ｂによりターミナルアダプタ３１に対するデータ通信用の接続を行う。ターミナルアダプタ３１には、室内電話回線３２ａを介して電話機３２に対する通話用の接続がなされ、ＬＡＮ３３ａによりパーソナルコンピュータ３３に対するデータ通信用の接続がなされる。
【００４１】
また、電源系の接続としては、リブートアダプタ１０に対象機器電源ライン６の分岐としてテーブルタップ６ｂを接続し、このテーブルタップ６ｂにＡＣアダプタ６１ａ及び６２ａを接続し、ｘＤＳＬ機器３ａとターミナルアダプタ３１に対する電源供給を対象機器電源ライン６１及び６２を通じてそれぞれ行う。
【００４２】
（リブートアダプタの内部構造）
次いで、リブートアダプタ１０の内部構成について具体的に説明する。図５は、リブートアダプタ１０の内部構成及び周辺装置との接続関係を示すブロック図である。
【００４３】
先ず、モジュラージャック４３ｂに接続された加入者電話回線４３が、スプリッタフィルタ１３に接続されている。このスプリッタフィルタ１３には、ｘＤＳＬ機器３ａからの室内回線４３ａも接続されている。このスプリッタフィルタ１３は、加入者電話回線４３に対して送受信される信号を、ネットワークコントロールユニット１に対するものと、ｘＤＳＬ機器３ａに対するものとをフィルタリングするモジュールである。
【００４４】
また、スプリッタフィルタ１３には、回線リレー１４，１５が接続され、これによりネットワークコントロールユニット１に対して送信された信号を抽出し、ＤＴＭＦ送受信回路１６に入力する。また、ＤＴＭＦ送受信回路１６から送信される信号は、回線リレー１４，１５及びスプリッタフィルタ１３を通じて加入者電話回線４３から送出される。ＤＴＭＦ送受信回路１６は、中央制御部１１に接続されており、各制御信号を、中央制御部１１に対して入出力する。
【００４５】
さらに、スプリッタフィルタ１３には、極性反転検出部１７とリンガー検出部１９とが接続されている。
【００４６】
極性反転検出部１７は、着信側の交換機４０１から極性反転を検出し、中央制御部１１に極性反転を通知する信号を送出するモジュールである。この通知を受け、中央制御部１１は、ＮＲＳ検出状態へ移行する。また、リンガー検出部１９は、電話局側からのリンガー信号を検出し、中央制御部１１に、リンガーを検出した旨を通知する信号を送出するモジュールである。中央制御部１１では、極性反転検出後、すなわち回線の極性が反転されている間に、リンガーを検出した旨を受けた場合、これを機能停止信号とみなし、ＮＲＳ検出状態を終了し、一般着信として応答する。
【００４７】
そして、中央制御部１１は、ＤＴＭＦ送受信回路１６から電源操作用信号を受信すると、これに従って、電源制御部１２による電源供給を制御する。例えば、ｘＤＳＬ機器３ａの電源をＯＦＦにしたり、電源をＯＮにしたり、或いは、一旦、電源をＯＦＦとし、所定時間経過後に再度ＯＮとするいわゆる再起動処理を行う。
【００４８】
なお、本実施形態では、ネットワークコントロールユニット１をリブートアダプタ１０に内蔵させ、対象機器と別個独立の構成としたが、本発明はこれに限定されるものではなく、例えば、ネットワークコントロールユニット１を対象機器に内蔵させてもよい。
【００４９】
（電源遠隔操作システムの動作）
次いで、上述した電源遠隔操作システムの動作について、以下に説明する。図６は、電源遠隔操作システムの動作を示すシーケンス図である。
【００５０】
先ず、平常時では、監視装置４０２により、各ｘＤＳＬ機器３ａの動作状態を監視する（Ｓ１０１）。具体的には、ｘＤＳＬ機器３ａの動作状態を確認するための確認信号を周期的に、ｘＤＳＬ機器３ａに対して送出しており、ｘＤＳＬ機器３ａの確認信号に対する応答信号に基づいて、ｘＤＳＬ機器３ａの動作状態を確認する。  そして、ｘＤＳＬ機器３ａからの応答信号が途絶えるか、或いは異常通知信号を受信した場合に、監視装置４０２は、ｘＤＳＬ機器３ａに動作障害が発生したと判断する。ｘＤＳＬ機器３ａが正常に動作していないと判断した場合、監視装置４０２は、センター用端末装置５に再起動用信号を発信するような指示を、自動または手動で送出する（Ｓ１０２）。
【００５１】
この指示を受けた前記センター用端末装置５は、発信側交換機４００に対してオフフックにより接続要求を送出し、発信側交換機４００は、これに対して発信音（ＤＴ）を返信する（Ｓ１０３）。センター用端末装置５は、かかる応答信号により、発信側交換機４００との通信確立を確認し、第１選択信号を発信側交換機４００に対して送信する（Ｓ１０４）。この第１選択信号は、着信側交換機（ＮＲＴ）１を呼び出すための番号（ＮＲＴ呼び出し番号）を通知する信号である。
【００５２】
発信側交換機４００は、ＮＲＴ呼び出し番号を用いて着信側交換機と接続を行う（Ｓ１０５）。この接続が確立した後、センター用端末装置５は、着信側交換機４０１に対して、接続制御信号（ＮＲＴＳ）を送信し（Ｓ１０６）、これに応じて着信側交換機４０１は、第２選択信号を要求する信号（ＳＤＲ）をセンター用端末装置５に対して送信する（Ｓ１０７）。この第２選択信号は、加入者の電話番号を通知する信号である。
【００５３】
この後、センター用端末装置５及び着信側交換機４０１は、接続制御用の通信を切断し（Ｓ１０８及びＳ１０９）、センター用端末装置５から着信側交換機４０１に対して、第２選択信号及びｘＤＳＬ機器３ａを呼び出すためのＮＲＳ選択信号を送信する（Ｓ１１０）。次いで、センター用端末装置５は、着信側交換機４０１に対して接続制御信号（ＮＲＴＳ）を送信し（Ｓ１１１）、これを受けて、リブートアダプタ１０に対する通信回線の極性反転を行うとともに（Ｓ１１２）、着信側交換機４０１からリブートアダプタ１０に対して、ＮＲＳによって、呼び出しを行う（Ｓ１１３）。
【００５４】
この呼び出しは、リブートアダプタ１０側では着呼信号として受信されるが、中央制御部１１は、回線の極性が反転されている間にＮＲＳを検出した場合、これを電源操作用信号とみなす。また、この呼び出しに対してリブートアダプタ１０は、応答信号をセンター用端末装置５に返信する（Ｓ１１４）。なお、この応答信号は、発信側回線の極性反転としてセンター用端末装置５に転送される。
【００５５】
そして、リブートアダプタ１０は、電源操作用信号に基づいて、ｘＤＳＬ機器３ａに対する電源制御を実行する。本実施形態においてリブートアダプタ１０による電源制御は、電源ラインを切断し（Ｓ１１６）、所定時間（Ｔ２−Ｔ１）の経過後、再度電源ラインを復旧（Ｓ１１７）することによって、ｘＤＳＬ機器３ａの再起動を行う。なお、このリブートアダプタ１０による復旧処理の間、センター用端末装置５は、リブートアダプタ１０に対し、必要に応じて接続を行い（Ｓ１１５）、リブートアダプタ１０を制御する。この制御としては、電源のＯＮ又はＯＦＦ、或いは再起動等の操作を組み合わせたものが挙げられる。
【００５６】
その後、センター用端末装置５は、ＮＲＴＳを切断し、これを受けて着信側交換機４０１は極性復旧を行うとともに、発信側交換機４００に対して普及した旨を通知する（Ｓ１１７及びＳ１１８）。この通知を受けて、発信側交換機４００は、センター用端末装置５に対する回線の極性を復旧する。
【００５７】
このようにして、ｘＤＳＬ機器３ａの動作障害を解消した後は、再びインターネット２０を介して、監視装置４０２により、ｘＤＳＬ機器３ａの動作を監視する（Ｓ１２０）。
【００５８】
（電源遠隔操作システムの作用・効果）
以上説明した本実施形態に係る電源遠隔操作システムによれば、監視装置４０２により対象機器３を遠隔的に監視し、対象機器３に動作障害が発生した場合には、センター用端末装置５から電源操作用信号を宅内のリブートアダプタ１０に対して送信することにより、対象機器３の電源供給を制御することができる。この結果、作業員を派遣して対象機器３の復旧作業等を行う必要がなくなり、人件費等のコストを削減しつつ、対象機器３に生じた動作障害を迅速に復旧することができる。
【００５９】
また、本実施形態では、電源操作用信号は、ｘＤＳＬ機器３ａに対する電源供給の入切、又は監視対象機器の再起動を指示するものであるため、電源のＯＮ又はＯＦＦ、或いは再起動等の操作を組み合わせることによって、種々の動作障害に対応することができる。
【００６０】
さらに、本実施形態では、ノーリンギング通信サービスを利用することで、ｘＤＳＬ機器３ａに接続された電話機３２の鳴動（リンギング）処理を停止させるため、ｘＤＳＬ機器３ａの動作障害を復旧する際に、電話機３２の不要な鳴動を防止しつつ、ｘＤＳＬ機器３ａの電源制御を行うことができる。
【図面の簡単な説明】
【００６１】
【図１】第１実施形態に係る電源遠隔操作システムの構成を示すブロック図である。
【図２】第１実施形態に係る電源制御部による、対象機器に対する電源供給の制御を示す説明図である。
【図３】第２実施形態に係る電源遠隔操作システムの構成を示すブロック図である。
【図４】第２実施形態に係る宅内における各装置の配置及び接続を示す説明図である。
【図５】第２実施形態に係るリブートアダプタの内部構成及び周辺装置との接続関係を示すブロック図である。
【図６】第２実施形態に係る電源遠隔操作システムの動作を示すシーケンス図である。
【図７】従来の監視システムの構成を示すブロック図である。
【図８】従来の監視システムの構成を示すブロック図である。
【符号の説明】
【００６２】
１…ネットワークコントロールユニット
３…対象機器
３ａ…ｘＤＳＬ機器
４…電話回線
５…センター用端末装置
６，６１，６２…対象機器電源ライン
６ａ…ＡＣアダプタ
６ｂ…テーブルタップ
７…ＮＣＵ電源ライン
８…電源コンセント
９…スプリッター
１０…リブートアダプタ
１１…中央制御部
１２…電源制御部
１３…スプリッタフィルタ
１４，１５…回線リレー
１６…ＤＴＭＦ送受信回路
１７…極性反転検出部
１９…リンガー検出部
２０…インターネット
３１…ターミナルアダプタ
３１ａ…室内電話回線
３１ｂ…ＬＡＮ回線
３２…電話機
３２ａ…室内電話回線
３３…パーソナルコンピュータ
３３ａ…ＬＡＮ
４２…センター回線
４３…加入者電話回線
４３ａ…室内回線
４３ｂ…モジュラージャック
６１ａ，６２ａ…ＡＣアダプタ
４００…発信側交換機
４０１…着信側交換機
４０２…監視装置
４０３…ｘＤＳＬ上位機器
【図１】
2005204454.tif 000003
【図２】
2005204454.tif 000004
【図３】
2005204454.tif 000005
【図４】
2005204454.tif 000006
【図５】
2005204454.tif 000007
【図６】
2005204454.tif 000008
【図７】
2005204454.tif 000009
【図８】
2005204454.tif 000010